(57)【要約】巻尺のテープ固定装置を開示する。テープ固定装置は、前記ハウジングの一側上端に前後回動可能にヒンジ結合されたロッキングレバーが取り付けられ、前記ロッキングレバーから下方に延長された連結片の端部側に、外周面にコイルバネを有するシリンダが結合され、前記シリンダの一端部に摩擦力の高い楔状のストッパーが取り付けられ、前記ストッパーがボビンに巻き取られたテープの外周面とスロットを介して引き出される直線状のテープとの間に弾性的に挿入されることにより、ストッパー面と引き出されるテープ面との摩擦によって引き出されたテープが自動的に停止するように構成する。
2005516204.tif 000002
【特許請求の範囲】
【請求項１】
バネの結合されたテープがボビンにコイル状に巻かれてハウジングに内蔵され、ハウジングの外部へのテープ引き出しのためのタブがハウジングの一側下端部のスロットを介して外部に露出するように構成された巻尺において、前記ハウジングの一側上端にロッキングレバーがヒンジ結合によって取り付けられ、前記ロッキングレバーから下方に延長された連結片の端部側に、外周面にコイルバネを有するシリンダが結合され、前記シリンダの一端部に摩擦力の高い楔状のストッパーが取り付けられ、前記ストッパーが、ボビンに巻き取られたテープの外周面とスロットを介して引き出される直線状のテープとの間に弾性的に挿入されることにより、ストッパー面と引き出されるテープ面との摩擦によって引き出されたテープが自動的に停止するように構成されることを特徴とする巻尺のテープ固定装置。
【請求項２】
前記シリンダは連結片の端部面に対して垂直に取り付けられることを特徴とする請求項１記載の巻尺のテープ固定装置。
【請求項３】
前記ストッパーは表面摩擦力の大きいゴム又は合成樹脂材からなることを特徴とする請求項１記載の巻尺のテープ固定装置。
【発明の詳細な説明】
【技術分野】
【０００１】
本発明は、巻尺のボビンからテープが巻き出されるときにテープを固定させるための巻尺のテープ固定装置に関し、より詳細には、ハウジング内に取り付けられたボビンから巻き出されるテープとボビンに巻き取られたテープ面との間に、押しボタンの下方にコイルバネによって結合されたストッパーを装着してある構造であって、ストッパーの弾性作動によってケースの外部に巻き出されたテープの自動停止が行われるようにするととともに、ハウジング内へのテー部復帰時にスムースな引き込みが行われるようにした巻尺のテープ固定装置に関する。
【背景技術】
【０００２】
一般に、巻尺は、バネに結合されたテープがコイル状にボビンに巻かれてハウジングに内蔵され、テープの端部に取り付けられたタブ(tab)がハウジングの一側面の下部に設けられたスロットの外部に露出し、タブを引っ張ると、ハウジング内のテープがハウジングの外部に引き出され、タブを離すと、引き出されていたテープがバネの弾性によってハウジング内に引き込まれるように構成されている。
【０００３】
また、ある巻尺は、ハウジングの外部に引き出された状態で、テープ端部のタブに加わった引張力が除去された場合でも、テープがバネ張力によって後退してハウジング内に引き込まれないようにするロック手段を備えている。
【０００４】
図１は従来のロック手段を備える巻尺の外観を示す斜視図、図２は従来の巻尺の断面図である。図示したように、従来の巻尺は、通常、片手で把持可能な大きさのハウジング１に、バネ（図示せず）に結合されたテープ２がボビン３にコイル状に巻かれて内蔵され、前記テープ２の端部に、長さ測定のためにテープを引き出すときに使用するタブ４がハウジング１の一側面の下端に設けられたスロット５を介して外部に露出するように構成されている。
【０００５】
この際、前記タブ４は、テープの長手方向に対して垂直な面の下方に折り曲げられた状態で取り付けられることにより、テープ２の端部がバネ張力によってスロット５を通過してハウジング内に引き込まれることを防止し、被測定物の一端部に対する固定フック又は接触面の役割を行うことができる。
【０００６】
前記ハウジング１のスロット５形成部位の上部側には、ハウジング１の外部に引き出されたテープ２をハウジング内に巻き戻そうとするバネ張力を克服し且つ引き出された状態をそのまま保つようにするロッキングレバー６が備えられる。
【０００７】
前記ロッキングレバー６の背面側には、ハウジング１の内部でロッキングレバー６に従って上下動する圧着片７が備えられる。この圧着片７は、ロッキングレバー６を下方に移動させたとき、スロット５を介して直線状に引き出されるテープ２面にその端部が密着して、バネ張力によって引き込まれようとするテープ２を固定させる。
【０００８】
この際、前記ハウジング１のスロット５を介して引き出されて固定されたテープ２をさらに引き込むためには、ロッキングレバー６を上方に移動させて圧着片７をテープ２面から引き離す。すると、ハウジング１の外部に引き出されたテープ２がさらに引き込まれてボビン３に巻き取られる。
【０００９】
ところが、このような構造の従来の巻尺は、ハウジング１でテープ２を固定させる際、テープ２の端部に設けられたタブ４を引っ張って一定の長さ引き出した後、使用者がロッキングレバー６を下方に移動させてテープ２を固定させるため、必ず引き出されたテープを把持してレバー６を作動させなければならないので、使用が不便であるうえ、テープ２の弾性復元力を除去するために強い圧着力が作用しなければならないので、テープ面の損傷又はスクラッチなどが発生するという問題点がある。
【００１０】
また、使用者がハウジングの外部に引き出されたテープをハウジングの内部に復帰させるためにロッキングレバー６を原位置させると、テープに連結されたバネの弾性によって高い速度でテープが引き込まれるため、テープ端部のタブなどによって安全事故が起こるおそれがある。
【発明の開示】
【００１１】
従って、本発明は、かかる従来の技術の問題点を解決するためのもので、その目的は、ハウジングの一側上端にロッキングレバーが回動可能に取り付けられ、ロッキングレバーの下方にコイルバネと端部にストッパーを有するシリンダとが結合された構造であって、ボビンに巻き取られたテープ面とボビンから直線状に巻き出されるテープ面との間に、ストッパーが弾性的に挿入されてハウジングの外部に巻出されたテープの自動停止が行われるようにするとともに、ロッキングレバーの押圧によってハウジングの内部にテープが復帰する際にスムースな引き込みと巻き取りが行われるようにした巻尺のテープ固定装置を提供することにある。
【００１２】
上記目的を達成するために、本発明は、バネの結合されたテープがボビンにコイル状に巻かれてハウジングに内蔵され、ハウジングのテープを引き出すためにテープの端部に設けられたタブがハウジングの一側下端部のスロットを介して外部に露出するように構成された巻尺において、前記ハウジングの一側上端に前後回動可能にヒンジ結合されたロッキングレバーが取り付けられ、前記ロッキングレバーから延長された連結片の端部側に、外周面にコイルバネを有するシリンダが結合され、前記シリンダの端部にゴム材質からなる円錐状のストッパーが取り付けられることにより、前記ストッパーが、ボビンに巻き取られたテープと直線状に巻き出されるテープとの間に弾性的に挿入されることを特徴とする。
【００１３】
前記ストッパーは、ボビンに巻き取られたテープの外周面と引き出される直線状のテープ面とに接触できるように円錐状に設けられ、滑らかなテープ面に対して所定の摩擦係数を有するゴム又は合成樹脂材質からなることが好ましい。
【００１４】
また、前記ストッパーは、その端部側のシリンダに取り付けられたコイルバネによって常に前方に弾性力が与えられることにより、ハウジングの外部に引き出されるにつれて段々小さくなるテープの外周面、及びハウジング下端部のスロットを介して直線状に引き出されるテープの上面に密着する。
【００１５】
この際、前記ハウジングの外部に引き出すために引っ張られたテープを離す場合、テープに連結されたバネによってハウジングの内部に後進しようとするテープ面にストッパーの摩擦力が作用することにより、ハウジングの外部に引き出されたテープが停止し、ハウジングの上端部のロッキングレバーを押すと、ストッパーを有するシリンダが後方に移動してテープのスムースな復帰が行われるように構成されている。
【発明を実施するための最良の形態】
【００１６】
以下、本発明を添付図に基づいて説明する。添付図面において、略同一の機能及び構成を有する構成要素については、同一符号を付する。
【００１７】
図３は本発明に係る巻尺の分解斜視図、図４は本発明に係る巻尺の断面図、図５は本発明に係る巻尺の正面図である。
【００１８】
図示したように、本発明の巻尺のテープ固定装置は、ハウジング１０の一側上端には、前後回動可能にヒンジ結合されたロッキングレバー１４が取り付けられ、前記ロッキングレバー１４から下方に延長された連結片１５の端部側には、外周面にコイルバネ１７を有するシリンダ１６が取り付けられ、前記シリンダ１６の一端部にはゴム材のストッパー１８が取り付けられている構造をもつ。
【００１９】
本発明に係る巻尺は、ボビン１１に巻き取られた状態でハウジング１０に内蔵されるテープ１２がハウジングの下端部のスロット１３を介して引き出される際、水平状態で引き出されるテープ１２面とボビン１１に巻き取られたテープ１２の外周面との間に三角形のギャップが発生するが、そのギャップにストッパー１８が弾性的に挿入される。このストッパー１８による摩擦力によって、ハウジングの外部に引き出されたテープ１２の自動停止が行われるようにする。
【００２０】
前記ロッキングレバー１４は、下方に連結片１５が延長され、使用者の押圧によって前後回動できるようにハウジング１０の上端にヒンジ結合され、前記連結片１５の端部側には、ボビン１１に巻き取られたテープ１２に向かって立方体状または円筒状のシリンダ１６が取り付けられる。
【００２１】
前記シリンダ１６の外周面には弾性を有するコイルバネ１７が設けられ、シリンダ１６の端部側にはゴム又は表面摩擦係数の高い材質の合成樹脂からなるストッパー１８が結合され、前記シリンダ１６の連結片１５結合端部側には固定リブ１９が結合される。
【００２２】
この際、前記ストッパー１８は、ボビンに巻き取られたテープ１２の外周面とボビン１１から直線状に巻き出されるテープ１２との間に弾性的に挿入され、両テープ１２面が密着できるように端部に行くほど狭くなる楔状にすることが好ましい。
【００２３】
前記ハウジング１０内のボビン１１から巻き出されてハウジング１０の前方下部のスロット１３を介して引き出されるテープ１２は、ストッパー１８の一面に接触しながら引き出され、ハウジング１０の外部に引き出されたテープ１２を離すと、両テープ１２面に挟まれた楔状のストッパー１８によって摩擦力が作用することにより、引き出されたテープ１２の自動停止が行われる。
【００２４】
一方、前記ハウジング１０の外部に引き出されて固定されたテープ１２の復帰は、使用者がハウジングの上端のロッキングレバー１４を押すと、その下方に延長された連結片１５がハウジング１０の内壁側に移動し、連結片１５の端部に結合されたシリンダ１６の移動によってストッパー１８がテープ１２間のギャップから逸脱する。
【００２５】
この際、前記テープ１２がボビン１１に連結されたバネの弾性力によってスロット１３を介して引き込まれてボビン１１に自動的に巻き取られ、使用者のロッキングレバー１４の押圧操作によって、引き込まれるテープ１２の速度を調節することにより、テープ１２のスムースな復帰が行われる。
【００２６】
次に、このような構造を有する本発明に係る巻尺のテープ固定装置の作動過程を説明する。
【００２７】
まず、使用者が巻尺のハウジングを片手で把持し、他の手でハウジング１０下端のスロット１３から外方に突出したタブ（Ｔ）を引っ張って所望の長さだけテープ１２を引き出し、引き出されたテープ１２を離すと、ハウジング１０の内部で巻き取られようとするテープ１２がストッパー１８の両面に接触して摩擦力によって自動的に固定される。
【００２８】
前記ハウジング１０の外部に引き出されたテープ１２による長さの測定が終わると、使用者がハウジング１０の上端に設けられたロッキングレバー１４を押すことにより、連結片１５に結合された楔状のストッパー１８がテープ１２面間のギャップから逸脱すると、ハウジング１０の内部にテープ１２が自動的に巻き取られる。
【産業上の利用可能性】
【００２９】
以上述べたように、本発明に係る巻尺のテープ固定装置は、ハウジングの一側上端にロッキングレバーが前後回動可能に取り付けられ、ロッキングレバーから下方に延長された連結片の端部側に、外周面にコイルバネを備え且つストッパーを有するシリンダが結合された構造であって、ボビンに巻き取られたテープとボビンから直線状に巻き出されるテープとの間にストッパーが弾性的に挿入され、ハウジングの外部に引き出されたテープの自動停止及び固定が行われるようにするとともに、ロッキングレバーの押圧によってハウジングの内部にテープが復帰する際にスムースな引き込み、及び巻き取り速度の容易な調節ができるという利点がある。
【００３０】
本発明の好適な実施例は説明の目的で開示されたが、当分野で通常の知識を有する者であれば、添付された請求の範囲で開示された本発明の精神及び範囲から逸脱することなく、本発明の様々な変更、追加及び置換が可能であると理解すべきである。
【図面の簡単な説明】
【００３１】
この発明の前記及び他の目的、特徴及びその他の利点は、添付図面を参照する次の説明によって明確に理解されるであろう。
【００３２】
【図１】図１は従来のロック手段を備えた巻尺の外観を示す斜視図である。
【図２】図２は従来の巻尺の断面図である。
【図３】図３は本発明に係る巻尺の分解斜視図である。
【図４】図４は本発明に係る巻尺の断面図である。
【図５】図５は本発明に係る巻尺の正面図である。
【図１】
2005516204.tif 000003
【図２】
2005516204.tif 000004
【図３】
2005516204.tif 000005
【図４】
2005516204.tif 000006
【図５】
2005516204.tif 000007
【国際調査報告】
2005516204.tif 000008